(57)【要約】【課題】換気装置が吸込む吸込空気に含有される帯電した塵埃を除電することによって、換気装置内に付着する塵埃を抑制し、消費電力の低減や騒音抑制及びお掃除性を向上させた換気装置を提供することを目的としている。【解決手段】換気装置本体１は空気を吸込むための手段としてのファン２と、空気を吸込む吸込口３と吸込空気４を本体より風路５を通して本体外へ排出するダクト６と、吸込空気４に含有される帯電した塵埃を中和するイオンを発生する手段としてのイオン発生部７と、吸込空気４に塵埃の帯電量を測定する帯電量測定手段としての帯電量測定部８と、イオン発生部７から放出された中和イオン９と、風路５へイオン吹出部１０を通して中和イオン９を送風する送風手段としてのイオン送風部１１と、を備えたことを特徴とする除電機能付換気装置であり、換気装置内に付着する塵埃を抑制することができる。【選択図】図１
2009139068.tif 000002
【特許請求の範囲】
【請求項１】
室内と室外との空気の入替えを行うために用いられる換気装置であって、前記換気装置が吸込む吸込空気に含有する帯電した塵埃の電荷を中和するイオンを発生するイオン発生部を具備したことを特徴とする除電機能付換気装置。
【請求項２】
換気装置の吸込空気の帯電量に応じてイオン発生量を増加若しくは減少させるように構成したことを特徴とする請求項１に記載の除電機能付換気装置。
【請求項３】
換気装置の吸込空気量に応じて、イオン発生量を増加若しくは減少させるように構成したことを特徴とする請求項１または２に記載の除電機能付換気装置。
【請求項４】
換気装置が吸込む空気の風路にイオン発生部を備えたことを特徴とする請求項１から３いずれかに記載の除電機能付換気装置。
【請求項５】
換気装置が空気を吸込む吸込口にイオン発生部を備えたことを特徴とする請求項１から４いずれかに記載の除電機能付換気装置。
【請求項６】
イオン発生部から発生するイオンの吹出方向を変更可能に構成したことを特徴とする請求項１から５いずれかに記載の除電機能付換気装置。
【請求項７】
イオン発生部の正常若しくは異常を検知する検知手段を備えたことを特徴とする請求項１から６いずれかに記載の除電機能付換気装置。
【請求項８】
イオン発生部が異常になると、イオン発生部を停止するように構成したことを特徴とする請求項１から７いずれかに記載の除電機能付換気装置。
【請求項９】
イオン発生部は発生するイオンを換気装置の吸込空気に送風するイオン送風部を具備したことを特徴とする請求項１から８いずれかに記載の除電機能付換気装置。
【請求項１０】
換気装置の吸込空気の帯電量に応じて、イオン送風部より送風される風量を増加若しくは減少させるように構成したことを特徴とする請求項１から９いずれかに記載の除電機能付換気装置。
【請求項１１】
換気装置の吸込空気量に応じて、イオン送風部より送風される送風量を増加若しくは減少させるように構成したことを特徴とする請求項１から１０いずれかに記載の除電機能付換気装置。
【請求項１２】
換気装置の使用時間を積算する積算手段を備え、換気装置の積算時間が一定値以上になるとイオン発生部からイオンを発生若しくは停止させることを特徴とする請求項１から１１いずれかに記載の除電機能付換気装置。
【発明の詳細な説明】
【技術分野】
【０００１】
本発明は、建築物の天井又は側壁に設置し、特に換気装置の吸込空気に含有する塵埃の帯電量を中和する除電機能を備えた除電機能付換気装置に関する。なお、以下の文で、小型の換気装置を例にとって説明するが、工場や施設等で用いられる大型の換気システムも本発明の対象である。
【背景技術】
【０００２】
近年、建物の機密性が向上し、化学物質を含有する建材の使用やエアコンの普及により、空気の入れ替えを積極的に行わないことから、建物内の空気が汚染される傾向にあり、建築基準法が改正され常時換気可能な設備の設置が義務付けられ、換気装置が普及している（例えば、特許文献１参照）。
【特許文献１】特開２００６−３２２６１９号公報
【発明の開示】
【発明が解決しようとする課題】
【０００３】
換気装置が本体内へ吸引した空気に含有される帯電した塵埃が本体内へ付着することによって、圧損が大きくなり、任意の設定風量を満足するためにモーターの回転数を増加させて消費電力量や騒音が大きくなるとともに、換気装置内の清掃は非常にわずらわしく、多くの時間が費やされるため、換気装置内に付着する塵埃を減少させる除電機能付換気装置が望まれていた。
【０００４】
本発明は上述の課題を解決するもので、室内と室外との空気の入替えを行うために用いられる換気装置において、換気装置内に帯電した塵埃が付着することを抑制することによって、消費電力量の低減や騒音抑制及びお掃除性を向上させた換気装置を提供することを目的としている。
【課題を解決するための手段】
【０００５】
本発明の除電機能付換気装置は上記の目的を達成するために、換気装置が吸込む吸込空気に含有する帯電した塵埃の電荷を中和するイオンを発生するイオン発生部を具備したことを特徴としている。
【０００６】
この手段により、吸込空気に含有される帯電した塵埃を除電することによって、換気装置内に付着する塵埃を抑制し、消費電力量の低減や騒音抑制及びお掃除性を向上させた換気装置を提供することができる。
【０００７】
また、本発明の除電機能付換気装置は、換気装置の吸込空気の帯電量に応じてイオン発生量を増加若しくは減少させるように構成したことを特徴としている。
【０００８】
この手段により、帯電した塵埃を含有する吸込空気の帯電量に応じて、帯電した塵埃を中和させるイオンの発生量を増減させて塵埃を除電することにより、塵埃を効率的に除電するとともに、イオン発生部で消費される電力量を抑制し、消費電力量の低減や騒音抑制及びお掃除性を向上させた換気装置を提供することができる。
【０００９】
また、本発明の除電機能付換気装置は、換気装置の吸込空気量に応じて、イオン発生量を増加若しくは減少させるように構成したことを特徴としている。
【００１０】
この手段により、吸込空気量の増減に応じて、帯電した塵埃を中和させるイオンの発生量を増減させて塵埃を除電することにより、吸込空気量の増減に連動して、イオン発生部からのイオンを発生させることができ、帯電した塵埃を含有する吸込空気量の増減変化とイオンの発生の応答性がよく、換気装置への塵埃の付着を抑制することが可能な換気装置を提供することができる。
【００１１】
また、本発明の除電機能付換気装置は、換気装置が吸込む空気の風路にイオン発生部を備えたことを特徴としている。
【００１２】
この手段により、換気装置内の風路に帯電した塵埃が付着することを抑制し、換気装置の本体形状に合わせて換気装置内で空気の流れが淀み、帯電した塵埃が付着しやすい場所に対して、イオンを効率的に発生させて帯電した塵埃の除電を行い、換気装置への塵埃の付着を抑制することが可能な換気装置を提供することができる。
【００１３】
また、本発明の除電機能付換気装置は、換気装置が空気を吸込む吸込口にイオン発生部を備えたことを特徴としている。
【００１４】
この手段により、帯電した塵埃が換気装置の吸込口に付着することにより換気装置の吸込空気量が低減することを抑制し、お掃除性を向上させた換気装置を提供することができる。
【００１５】
また、本発明の除電機能付換気装置は、イオン発生部から発生するイオンの吹出方向を変更可能に構成したことを特徴としている。
【００１６】
この手段により、吸込空気に含有する帯電した塵埃に向けて中和するイオンの吹出方向を変更させてイオンを放出させることにより、帯電した塵埃が換気装置内で拡散する場合においても、効率的にイオンを放出することができるとともに、換気装置の本体形状に合わせて、換気装置内で空気の流れが淀み帯電した塵埃が付着しやすい場所に対してもイオンを効率よく放出することができる換気装置を提供することができる。
【００１７】
また、本発明の除電機能付換気装置は、イオン発生部の正常若しくは異常を検知する検知手段を備えたことを特徴としている。
【００１８】
この手段により、イオン発生部の状態を把握し安全性を高めた換気装置を提供することができる。
【００１９】
また、本発明の除電機能付換気装置は、イオン発生部が異常になると、イオン発生部を停止するように構成したことを特徴としている。
【００２０】
この手段により、イオン発生部が異常になるとイオン発生部を停止させ、安全性を高めた換気装置を提供することができる。
【００２１】
また、本発明の除電機能付換気装置は、イオン発生部に発生するイオンを換気装置の吸込空気に送風するイオン送風部を具備したことを特徴としている。
【００２２】
この手段により、帯電した塵埃を含有する吸込空気に中和するイオンを送風することで、効率よく塵埃を除電することが可能な換気装置を提供することができる。
【００２３】
また、本発明の除電機能付換気装置は、換気装置の吸込空気の帯電量に応じて、イオン送風部より送風される風量を増加若しくは減少させるように構成したことを特徴としている。
【００２４】
この手段により、帯電した塵埃を含有する吸込空気の帯電量に応じて、中和するイオンを含有したイオンの送風量を増減させることで、効率よく塵埃を除電し、消費電力量の低減や騒音抑制及びお掃除性を向上させた換気装置を提供することができる。
【００２５】
また、本発明の除電機能付換気装置は、換気装置の吸込空気量に応じて、イオン送風部より送風される送風量を増加若しくは減少させるように構成したことを特徴としている。
【００２６】
この手段により、吸込空気量の増減に応じて、帯電した塵埃を中和させるイオンの送風量を増減させて塵埃を除電することにより、吸込空気量の増減に連動して、イオン発生部からイオンを送風することができ、換気装置への塵埃の付着を抑制することが可能な換気装置を提供することができる。
【００２７】
また、本発明の除電機能付換気装置は、換気装置の使用時間を積算する積算手段を備え、換気装置の積算時間が一定値以上になるとイオン発生部からイオンを発生若しくは停止させることを特徴としている。
【００２８】
この手段により、常時イオン発生部から中和イオンを放出して除電することにより換気装置内に付着する塵埃を抑制するのではなく、定期的にイオン発生部より中和イオンを放出することによって、イオン放出部で消費される電力量を抑制することが可能な換気装置を提供することができる。
【発明の効果】
【００２９】
本発明によれば、換気装置が吸込む吸込空気に含有する帯電した塵埃の電荷を中和するイオンを発生するイオン発生部を具備し、吸込空気に含有される帯電した塵埃を除電することによって、換気装置内に付着する塵埃を抑制し、消費電力量の低減や騒音抑制及びお掃除性を向上させた換気装置を提供することができる。
【発明を実施するための最良の形態】
【００３０】
本発明の請求項１記載の除電機能付換気装置は、換気装置が吸込む吸込空気に含有する帯電した塵埃の電荷を中和するイオンを発生するイオン発生部を具備した除電機能付換気装置であり、吸込空気に含有される帯電した塵埃を除電することによって、換気装置内に付着する塵埃を抑制し、消費電力量の低減や騒音抑制及びお掃除性を向上させるという作用を有する。
【００３１】
本発明の請求項２記載の本発明の除電機能付換気装置は、換気装置の吸込空気の帯電量に応じてイオン発生量を増加若しくは減少させるように構成したことを特徴する請求項１に記載の除電機能付換気装置であり、帯電した塵埃を含有する吸込空気の帯電量に応じて、帯電した塵埃を中和させるイオンの発生量を増減させて塵埃を除電することにより、イオン発生部で消費される電力量を抑制し、消費電力量の低減や騒音抑制及びお掃除性を向上させるという作用を有する。
【００３２】
本発明の請求項３記載の除電機能付換気装置は、換気装置の吸込空気量に応じて、イオン発生量を増加若しくは減少させるように構成したことを特徴とする請求項１から２いずれかに記載の除電機能付換気装置であり、吸込空気量の増減に応じて、帯電した塵埃を中和させるイオンの発生量を増減させて塵埃を除電することにより、吸込空気量の増減に連動して、イオン発生部からのイオンを発生させることができ、帯電した塵埃を含有する吸込空気量の増減変化とイオンの発生の応答性がよく、換気装置への塵埃の付着を抑制するという作用を有する。
【００３３】
本発明の請求項４記載の除電機能付換気装置は、換気装置が吸込む空気の風路にイオン発生部を備えたことを特徴とする請求項１から３いずれかに記載の除電機能付換気装置であり、換気装置内の風路に帯電した塵埃が付着することを抑制し、換気装置の本体形状に合わせて換気装置内で空気の流れが淀み、帯電した塵埃が付着しやすい場所に対して、イオンを効率的に発生させて帯電した塵埃の除電を行い、換気装置への塵埃の付着を抑制するという作用を有する。
【００３４】
本発明の請求項５記載の除電機能付換気装置は、換気装置が空気を吸込む吸込口にイオン発生部を備えたことを特徴とする請求項１から４いずれかに記載の除電機能付換気装置であり、帯電した塵埃が換気装置の吸込口に付着することにより換気装置の吸込空気量が低減することを抑制し、消費電力量の低減や騒音抑制及びお掃除性を向上させるという作用を有する。
【００３５】
本発明の請求項６記載の除電機能付換気装置は、イオン発生部のイオン吹出方向を変更可能に構成したことを特徴とする請求項１から５いずれかに記載の除電機能付換気装置であり、吸込空気に含有する帯電した塵埃に向けて中和するイオンの吹出方向を変更させてイオンを放出させることにより、帯電した塵埃が換気装置内で拡散する場合においても、効率的にイオンを放出することができるとともに、換気装置の本体形状に合わせて、換気装置内で空気の流れが淀み帯電した塵埃が付着しやすい場所に対してもイオンを効率よく放出し、換気装置内に帯電した塵埃が付着することを抑制する作用を有する。
【００３６】
本発明の請求項７記載の除電機能付換気装置は、イオン発生部の正常、異常若しくはイオン発生量を検知する検知手段を備えたことを特徴とする請求項１から６いずれかに記載の除電機能付換気装置であり、イオン発生部の状態を把握し安全性を高めるという作用を有する。
【００３７】
本発明の請求項８記載の除電機能付換気装置は、イオン発生部が異常になると、イオン発生部を停止するように構成したことを特徴とする請求項１から７いずれかに記載の除電機能付換気装置であり、イオン発生部が異常になるとイオン発生部を停止させ、安全性を高めるという作用を有する。
【００３８】
本発明の請求項９記載の除電機能付換気装置は、イオン発生部に発生するイオンを換気装置の吸込空気に送風するイオン送風部を具備したことを特徴とする請求項１から８いずれかに記載の除電機能付換気装置であり、帯電した塵埃を含有する吸込空気に中和するイオンを含有したイオンを送風することで、効率よく吸込空気に含有する塵埃を除電する作用を有する。
【００３９】
本発明の請求項１０記載の除電機能付換気装置は、換気装置の吸込空気量に応じて、イオン送風部より送風される送風量を増加若しくは減少させるように構成したことを特徴とする請求項１から９いずれかに記載の除電機能付換気装置であり、帯電した塵埃を含有する吸込空気量に応じて、中和するイオンを含有したイオンの送風量を増減させることで、効率よく塵埃を除電する作用を有する。
【００４０】
本発明の請求項１１記載の浴室暖房乾燥機は、換気装置の吸込空気の帯電量に応じて、イオン送風部より送風される風量を増加若しくは減少させるように構成したことを特徴とする請求項１から１０いずれかに記載の除電機能付換気装置であり、吸込空気量の増減に連動して、イオン発生部からイオンを送風することができ、換気装置への塵埃の付着を抑制する作用を有する。
【００４１】
本発明の請求項１２記載の浴室暖房乾燥機は、換気装置の使用時間を積算する積算手段を備え、換気装置の積算時間が一定値以上になるとイオン発生部からイオンを発生若しくは停止させることを特徴とする請求項１から１１いずれかに記載の除電機能付換気装置で、常時イオン発生部を駆動させるのではなく、換気装置の使用時間に応じてイオン発生部を駆動させてイオンを発生させることにより、イオン発生部で消費される電力量を抑制する作用を有する。
【００４２】
以下、本発明の実施の形態について図面を参照しながら説明する。
【００４３】
（実施の形態１）
図１は本発明の実施の形態における除電機能付換気装置の構成を示す図である。図１は、本発明の除電機能付換気装置の１つの実施形態を示す概略構成図である。
【００４４】
図１において、換気装置本体１は空気を吸込むための手段としてのファン２と、空気を吸込む吸込口３と吸込口３から換気装置本体１内に吸込まれる吸込空気４を本体より風路５を通して本体外へ排出するダクト６と、吸込空気４に含有される帯電した塵埃を中和するイオンを発生する手段としてのイオン発生部７（例えば、コロナ放電式）と、吸込空気４に塵埃の帯電量を測定する帯電量測定手段としての帯電量測定部８（例えば、静電気測定器）と、イオン発生部７から放出された中和イオン９と、中和イオン９を風路５へイオン吹出部１０を通して中和イオン９を送風する送風手段としてのイオン送風部１１（例えば、送風ファン）と、から構成される。
【００４５】
ファン２によって、吸込口３を通して換気装置本体１内に吸込まれる吸込空気４に含有される帯電した塵埃の帯電量を帯電量測定部８によって測定し、その帯電量（例えば、＋５ｋＶ）に応じてイオン発生部７から中和イオン９（例えば、−５ｋＶ）を発生し、イオン送風部１１からイオン吹出部１０から、換気装置本体１から風路５を通して屋外へ排出される吸込空気４へ中和イオンを放出し、吸込空気４に含有される帯電した塵埃を除電する。
【００４６】
従って、本実施の形態により、吸込空気に含有される帯電した塵埃を除電することによって、換気装置内に付着する塵埃を抑制し、消費電力量の低減や騒音抑制及びお掃除性を向上させた換気装置を提供することができる。
【００４７】
また、実施の形態１では、帯電量測定部８によって吸込空気４に含有される帯電した塵埃の帯電量を測定して、その帯電量に応じてイオン発生部７から中和イオン９を発生させるように構成しているため、吸込空気４の帯電量が多いとき（例えば、±１０ｋＶ以上）は、中和イオン９の発生量を増加させて、効率よく帯電した塵埃を除電することができ、吸込空気４の帯電量が少ないときは（例えば、±０．５ｋＶ以下）、中和イオン９の発生量を低減若しくは停止させて、イオン発生部７で消費される消費電力量を低減させることができる。
【００４８】
なお、実施の形態１では、帯電量測定部８によって吸込空気４に含有される帯電した塵埃の帯電量を測定して、その帯電量に応じてイオン発生部７から中和イオン９を発生させるように構成したが、吸込空気量に応じて、イオン発生部７から発生される中和イオン９の発生量を増減させるように構成してもよい。このように構成すれば、ファン２の回転速度に追従して変化する吸込空気量の増減に連動して、イオン発生部７から中和イオン９を発生することができ、帯電した塵埃を含有する吸込空気量の増減の変化と中和イオン９の発生までの応答性がよく、帯電した塵埃の換気装置本体１への付着を抑制することができる。
【００４９】
また、実施の形態１ではイオン発生部７を換気装置本体１内の吸込口３付近に設けた構成にしている。このように構成すれば、帯電した塵埃が換気装置本体１の吸込口３に付着することにより換気装置の吸込空気量が低減することを抑制することができる。
【００５０】
なお、イオン発生部７は吸込空気４の風路５に中和イオン９を放出できるように構成すれば、どこに設けてもよく、このように構成することにより、換気装置の本体形状に合わせて換気装置本体１内で空気の流れが淀み、帯電した塵埃が付着しやすい場所に対して、中和イオン９を効率よく放出して帯電した塵埃の除電を行うことができる。
【００５１】
さらに、実施の形態１ではイオン送風部１１を設けて、中和イオン９をイオン吹出部１０を通して風路５へ放出するように構成したが、吸込空気４に含有される帯電した塵埃に中和イオン９を放出して除電するように構成すれば、イオン発生部７を風路５に設けるように構成してもよい。このように構成することにより、イオン送風部１１を別途設けることなく、中和イオン９を換気装置本体１内に放出させることができ、吸込空気４に含有される帯電した塵埃の除電を行うことができる。
【００５２】
また、実施の形態１の除電機能付換気装置は、イオン吹出部１０のイオン吹出方向を一定方向にするように構成したが、風路５に中和イオン９を効率よく放出する構成であれば、イオン吹出方向を変更可能に構成してもよく、イオン吹出部１０にルーバーを設けてイオン吹出方向を上下左右（例えば、±３０度）に変化させるもしくはイオン送風部１１を上下左右（例えば、±３０度）に変化させるように構成してもよい。このように構成することにより、吸込空気に含有される帯電した塵埃が換気装置本体１内に拡散する場合においても、換気装置本体１内に効率的に中和イオン９を放出することができ、さらに換気装置の本体形状に合わせて、換気装置本体１内で空気の流れが淀み帯電した塵埃が付着しやすい場所に対して、中和イオン９を効率よく放出することができる。
【００５３】
また、実施の形態１の除電機能付換気装置は、帯電量測定部８によって吸込空気４に含有する帯電した塵埃の帯電量を測定し、帯電量に応じてイオン発生部７から中和イオン９を発生するように構成しているため、帯電量測定部８の測定値が一定時間（例えば、１分間）、常に一定値以上の帯電量（例えば、＋３ｋＶもしくは−３ｋＶ）を測定したときは、イオン発生部７を異常と認識することができる。このようにイオン発生部７の正常若しくは異常を検知する検知手段を設けることにより、安全性を向上させることができる。
【００５４】
さらに、実施の形態１の除電機能付換気装置は、イオン発生部７の異常を認識すると、イオン発生部７に供給される電源ラインに設けられた接点（例えば、リレー）が開放されて、イオン発生部７を強制的に停止するように構成している。このように構成することにより、イオン発生部７に異常が生じた場合、安全にイオン発生部７を停止することができる。
【００５５】
また、実施の形態１の除電機能付換気装置は、吸込空気４の帯電量に応じて、イオン送風部１１から送風される送風量を増加若しくは減少させるように構成している。このように構成することで、帯電した塵埃を含有する吸込空気４に中和イオン９を効率よく送風し、塵埃の除電を効率よく行うことができる。
【００５６】
さらに、吸込空気量に応じてイオン送風部１１より送風される送風量を増加若しくは減少させるように構成すれば、ファン２の回転速度に追従して変化する吸込空気量の増減に連動して、帯電した塵埃の増減と中和イオン９の放出までの応答性がよく、帯電した塵埃の換気装置本体１内への付着を抑制することができる。
【００５７】
また、実施の形態１の除電機能付換気装置は、換気装置本体１の使用時間を積算する積算手段として、積算メモリを備えている。換気装置本体１の使用時間があらかじめ積算メモリ内に設定された設定値（例えば、３時間）以上になると、イオン発生部７から中和イオン９を放出させて、一定時間（例えば、１０分）経過した後若しくは換気装置本体１内の帯電量が一定値（例えば、０．５ｋＶ）を下回ったとき、イオン発生部７からの中和イオン９の発生を停止させて、積算メモリをゼロクリアーして、再度換気装置１の使用時間を積算するように構成されている。このように構成することにより、吸込空気に含有する帯電した塵埃に対して、常時イオン発生部７から中和イオン９を放出して除電することにより換気装置本体１内に付着する塵埃を抑制するのではなく、定期的にイオン放出部７より中和イオン９を放出することによって、イオン放出部７で消費される電力量を抑制することができる。
【００５８】
従って、本実施の形態により、吸込空気４に含有する帯電した塵埃が換気装置本体１内に付着することを抑制し、消費電力量の低減や騒音抑制及びお掃除性を向上させることができる除電機能付換気装置を提供できる。
【産業上の利用可能性】
【００５９】
本発明の吸込空気に含有する帯電した塵埃に中和イオンを放出して除電する構成は、局所空間を風路とする空気の流入部に用いることで、局所空間内への塵埃の付着を抑制することができる。
【図面の簡単な説明】
【００６０】
【図１】本発明の実施の形態１の除電機能付換気装置を示す概略構成図
【符号の説明】
【００６１】
１    換気装置本体
２    ファン
３    吸込口
４    吸込空気
５    風路
６    ダクト
７    イオン発生部
８    帯電量測定部
９    中和イオン
１０  イオン吹出部
１１  イオン送風部
【図１】
2009139068.tif 000003